(57)【要約】【課題】  スタイリッシュに装着でき、かつ、運動などの野外使用に適したヘッドホンを提供する。【解決手段】  左右の耳に対してそれぞれ取り付けられる一対のヘッドホンユニット２，２を支持するヘッドバンド３を頭頂部から額部にかけてを往復的に回動可能とし、ヘッドバンド３に目を覆うメガネ部４を設ける。【選択図】  図４
2006186756.tif 000002
【特許請求の範囲】
【請求項１】
左右の耳に対してそれぞれ装着される一対のヘッドホンユニットと、上記各ヘッドホンユニットを支持するヘッドバンドとを有し、上記ヘッドバンドは頭頂部から額部にかけて往復的に回動可能であり、上記ヘッドバンドには目を覆うメガネ部が設けられていることを特徴とするヘッドホン。
【請求項２】
上記メガネ部は上記ヘッドバンドに対して着脱および／または移動可能に設けられていることを特徴とする請求項１に記載のヘッドホン。
【請求項３】
上記ヘッドバンドは一端が上記ヘッドホンユニットに連結され、耳から側頭部に配置されるテンプル部と、上記各テンプル部の他端間に連結されるブリッジ部とを有し、上記テンプル部と上記ブリッジ部との間に上記ヘッドバンドの長さを調節する伸縮手段が設けられていることを特徴とする請求項１または２に記載のヘッドホン。
【請求項４】
上記ヘッドホンユニットは所定の回転軸を中心に上記ヘッドバンドに回転可能に取り付けられていることを特徴とする請求項１，２または３に記載のヘッドホン。
【請求項５】
上記回転軸は上記各ヘッドホンユニットを上記ヘッドバンドの内側に移動可能な位置に設けられていることを特徴とする請求項４に記載のヘッドホン。
【請求項６】
上記メガネ部には鼻に沿って当接するパッド部が設けられており、上記各ヘッドホンユニットと上記パッド部の３点で支持されることを特徴とする請求項１〜５のいずれか１項に記載のヘッドホン。
【発明の詳細な説明】
【技術分野】
【０００１】
本発明はヘッドホンに関し、さらに詳しく言えば、サングラスなどの眼鏡を有するヘッドホンに関する。
【背景技術】
【０００２】
音楽を聴く道具の１つとしてヘッドホンがある。ヘッドホンは音楽を例えば屋外や夜間などで個人的に楽しむために用いられる道具であり、インナーイヤー型や耳かけ型などの簡易タイプから耳殻を完全に覆う密閉型などの本格タイプまで多種多様である。
【０００３】
これらヘッドホンは左右の耳に装着される一対のヘッドホンユニットと、ヘッドホンユニットを耳に保持するための保持手段としてのヘッドバンドや耳かけハンガーを備えている。ただし、インナーイヤー型の場合は、ヘッドホンユニットを直接耳殻内に保持させるため保持手段は持たない。
【０００４】
ヘッドホンを用いることで音楽を気軽に外に持ち出すことができることから、特に最近では運動や散歩などで使用する人が増えている。ところで、運動などを行う際、視力が弱い人は眼鏡を使用したり、日光が眩しい場合にはサングラスを使用する。
【０００５】
しかしながら、眼鏡を使用しながらヘッドホンを装着した場合、眼鏡のテンプル（つる）がヘッドバンドによって押し付けられるため、装着に違和感や痛みなどを伴うことがあった。そこで、例えば特許文献１に示すようなヘッドホンの一部にメガネ部（サングラス）を設けた眼鏡付きヘッドホンが提案されている。
【０００６】
これによれば、ヘッドバンドを頭頂部に沿って装着したのち、メガネ部を目の前に下ろすことにより、ヘッドホンを装着しながらサングラスを使用することができる。しかしながら、このサングラス付きヘッドホンには以下のような課題があった。
【０００７】
特許文献１に記載のヘッドホンは装着時にヘッドバンドが頭頂部に沿って露出するため、装着時の見た目があまりよいとは言えない。また、運動時に頭を保護するため帽子やヘルメットなどを被る場合があるが、特許文献１のヘッドホンではヘッドバンドが邪魔になり、帽子やヘルメットをかぶることができない。
【０００８】
【特許文献１】特開２００３−７８９８２号公報
【発明の開示】
【発明が解決しようとする課題】
【０００９】
そこで、本発明は上述した課題を解決するためになされたものであって、その目的は、スタイリッシュに装着でき、かつ、運動などの野外使用に適したヘッドホンを提供することにある。
【課題を解決するための手段】
【００１０】
上述した目的を達成するため、本発明は以下に示す特徴を備えている。左右の耳に対してそれぞれ装着される一対のヘッドホンユニットと、上記各ヘッドホンユニットを支持するヘッドバンドとを有し、上記ヘッドバンドは頭頂部から額部にかけて往復的に回動可能であり、上記ヘッドバンドには目を覆うメガネ部が設けられていることを特徴としている。
【００１１】
請求項２に記載の発明は、上記請求項１において、上記メガネ部は上記ヘッドバンドに対して着脱および／または移動可能に設けられていることを特徴としている。
【００１２】
請求項３に記載の発明は、上記請求項１または２において、上記ヘッドバンドは一端が上記ヘッドホンユニットに連結され、耳から側頭部に配置されるテンプル部と、上記各テンプル部の他端間に連結されるブリッジ部とを有し、上記テンプル部と上記ブリッジ部との間に上記ヘッドバンドの長さを調節する伸縮手段が設けられていることを特徴としている。
【００１３】
請求項４に記載の発明は、上記請求項１，２または３において、上記ヘッドホンユニットは所定の回転軸を中心に上記ヘッドバンドに回転可能に取り付けられていることを特徴としている。
【００１４】
請求項５に記載の発明は、上記請求項４において、上記回転軸は上記各ヘッドホンユニットを上記ヘッドバンドの内側に移動可能な位置に設けられていることを特徴としている。
【００１５】
請求項６に記載の発明は、上記請求項１〜５のいずれか１項において、上記メガネ部には鼻に沿って当接するパッド部が設けられており、上記各ヘッドホンユニットと上記パッド部の３点で支持されることを特徴としている。
【発明の効果】
【００１６】
請求項１に記載の発明によれば、ヘッドバンドが頭頂部から額部にかけて往復的に移動可能に設けられていることにより、ヘッドバンドを額部に沿って配置することにより、ヘッドバンドがメガネ部とともに前頭部に降りるため、見た目もすっきりとスタイリッシュに装着することができる。さらには、ヘッドバンドが頭頂部を邪魔しないため、帽子やヘルメットなどを違和感なく頭に被ることができる。
【００１７】
請求項２に記載の発明によれば、メガネ部を使用しないときは、メガネ部を着脱および／または移動可能することにより、ヘッドホンとしての機能のみを利用することができる。
【００１８】
請求項３に記載の発明によれば、ヘッドバンドは眼鏡のフレームと同じテンプル部とブリッジ部とからなる構造を備え、それらが伸縮可能であることにより、ヘッドバンドを額面に沿って確実に保持することができ、ズレ落ちたりすることがない。
【００１９】
請求項４および５に記載の発明によれば、ヘッドホンユニットとヘッドバンドが所定の回転軸を介して連結されていることにより、通常の頭頂部に沿ってヘッドバンドを配置した状態でも使うことができるばかりでなく、使用しないときは折り畳んで持ち運ぶことができる。
【００２０】
請求項６に記載の発明によれば、各ヘッドホンユニットとメガネ部のパッド部とで３点保持することにより、より確実に保持することができる。
【発明を実施するための最良の形態】
【００２１】
次に、本発明の実施形態について図面を参照しながら説明する。図１は本発明の一実施形態に係るヘッドホンの保管状態における斜視図であり、図２は図１におけるヘッドホンの一部を切断した部分断面平面図である。
【００２２】
このヘッドホン１は左右それぞれの耳に装着される一対のヘッドホンユニット２，２と、各ヘッドホンユニット２，２を支持するヘッドバンド３とを備えており、ヘッドバンド３には目を覆うメガネ部４が設けられている。
【００２３】
この例において、ヘッドホンユニット２，２は左右ともに同じ形状であるため、一方についてのみ説明し、他方についての説明は省略する。
【００２４】
ヘッドホンユニット２は、内部に図示しない駆動部を有するヘッドホンハウジング５と、ヘッドハウジング５に一体的に取り付けられるイヤパッド６と、ヘッドホンハウジング５をヘッドバンド３に連結するためのハンガー７とを備えている。
【００２５】
なお、ヘッドホンユニット２には、一端に図示しない音声再生装置などに接続されるプラグを備え、他端がヘッドホン本体４内の駆動部に接続されるプラグコードＰが設けられている。この例において、プラグコードは先端にステレオミニプラグが取り付けられている。
【００２６】
ヘッドホンハウジング５は例えば合成樹脂の成型品からなり、耳殻全体を覆う大きさを有する半球ドーム状に形成されている。ヘッドホンハウジング５の内部は中空になっており、その内部に駆動部が内蔵されている。
【００２７】
本発明において、駆動部の具体的な構造や機構に関しては従来より用いられている一般的なものが適用可能であるため、その説明は省略する。また、この例においてヘッドホンハウジング５１は合成樹脂製であるが、これ以外に金属製や木製などであってもよく、その材質や形状は音響特性などの仕様に応じて任意に変更可能である。
【００２８】
イヤパッド６は内部に発泡ウレタンなどのクッション材の表面が合成皮革などによって覆われており、中央部分に耳殻が収納される凹部６１を備えたドーナツ状に形成されている。
【００２９】
この例において、イヤパッド６は凹部６１内に耳殻が完全に収納可能な大きさのドーナツ状に形成されているが、必ずしもドーナツ形状でなくてもよく、耳殻とほぼ同じもしくは小さい形状であってもよく。本発明において、イヤパッド６の形状は任意的事項である。
【００３０】
ハンガー７はヘッドホンハウジング４を所定の回転軸を中心に回転可能に軸支する逆Ｙ字状のアーム７１，７１を備えている。アーム７１，７１はヘッドホンハウジング５の頂部から両外周面に沿って延設しており、アーム７１の先端にはヘッドホンハウジング５の軸受孔に差し込まれるボス（ともに図示しない）が設けられている。
【００３１】
これにより、ヘッドホンハウジング５がボスを回転軸とする軸線を中心に回転可能に保持される。ハンガー７の頂部にはヘッドホンハウジング５をヘッドバンド３に取り付けるための軸受孔７２が設けられている。
【００３２】
図２に示すように、軸受孔７２にはヘッドバンド３の端部がネジ３１ａによって回転可能に保持される。ヘッドバンド３の両端には上記ネジ３１ａが取り付けられる雌ネジ孔３１，３１が形成されており、これにより、ヘッドホンハウジング５が回転軸Ｏを中心に回転する。
【００３３】
次に、ヘッドバンド３について説明する。ヘッドバンド３は使用者の頭を挟んで左右両耳に掛け渡されるアーチ状に形成されており、回転軸Ｏを中心として頭頂部から額部にかけて往復的に移動するようになっている。
【００３４】
この例において、ヘッドホンユニット２はヘッドバンド３に対してネジ止めされているが、ヘッドバンド３に対して回転可能に取り付けられていれば、ヘッドホンユニット２とヘッドバンド３の係止手段の構造は任意にであってよい。
【００３５】
図３および図４を併せて参照して、ヘッドバンド３は一端がヘッドホンユニット２に連結され、耳から側頭部に沿って配置されるテンプル部３２，３２と、各テンプル部の他端間に連結されるブリッジ部３３とを備えており、テンプル部３２，３２とブリッジ部３３との間にはヘッドバンド３の長さを調節するための伸縮手段８が設けられている。
【００３６】
なお、テンプル部３２、ブリッジ部３３および伸縮手段８は左右対称に設けられており、この例においては、一方の左側のみについて説明を行い、他方の右側についての説明は省略する。
【００３７】
テンプル部３２は合成樹脂の成型品からなり、耳から側頭部に沿って配置されるように湾曲されている。図３に示すように、テンプル部３２の内部には後述する伸縮手段８のスライドレバー８１が差し込まれるスライド溝３２１が設けられている。
【００３８】
スライド溝３２１はテンプル部３２の内部に沿って湾曲して形成されており、その先端（図３では下端）には、スライド溝３２１内にスライドレバー８を引き込むための開口部３２２が設けられている。
【００３９】
スライド溝３２１内の開口部３２２付近にはスライドレバー８１の移動をガイドするガイドローラ３２３が設けられている。この例において、ガイドローラ３２３はスライドレバー８１の側面（図３では左側面）に沿って当接する位置に設けられている。
【００４０】
スライド溝３２１内にはさらに、スライドレバー８の先端に取り付けられたストッパー８２を受け止める凸部３２４が設けられている。この例において、凸部３２４はスライド溝３２１内に向けて突設された半円状の凸部からなる。
【００４１】
伸縮手段８は一端がブリッジ部３３の端部に固定され、他端がテンプル部３２のスライド溝３２１内に差し込まれるスライドレバー８１と、スライドレバー８１の他端に取り付けられたストッパー８２とを備えている。
【００４２】
スライドレバー８１はバネ弾性を有する板材からなり、強制的に湾曲した状態でスライド溝３２１に沿って挿入されている。この例において、スライドレバー８１はステンレス板からなり、一端側がブリッジ部３３の先端とともに一体的に固定されている。
【００４３】
この例において、スライドレバー８１は金属板からなるが、これ以外に強化プラスチックや木材などであってもよく、適度なバネ弾性を有する材料であれば、仕様に応じて任意に変更可能である。
【００４４】
ストッパー８２はスライドレバー８１の先端側に一体的に取り付けられたブロック体からなり、その一部にはスライド溝３２１に沿って摺接するローラ８３が回転可能に取り付けられている。
【００４５】
これによれば、スライドレバー８１を任意の位置で引き出した状態でヘッドバンド３を頭に装着すると、スライドレバー８１が弾性的に湾曲して、ストッパー８２、ガイドローラ３２３および凸部３２４とによって３点支持されることで、その位置を固定することができる。
【００４６】
ブリッジ部３３は合成樹脂の成型品からなり、頭頂部または額部に沿って湾曲された帯状体からなる。なお、ブリッジ部３３の材質については任意に変更可能である。この例において、ブリッジ部３３の両端にはスライドレバー８１が突設されているが、例えばスライドレバー８１をアーチ状に形成して、ブリッジ部３３を兼用してもよい。
【００４７】
次に図４を参照して、メガネ部４はヘッドホンバンド３のブリッジ部３３に取り付けられている。メガネ部４は目を覆うメガネ本体４１と、同メガネ本体４１に取り付けられ、鼻に沿って接触するパッド部４２と、メガネ部４をブリッジ部３３に取り付ける係止部４３とを備えている。
【００４８】
メガネ本体４１は例えばサングラスなどの目を覆う透明なレンズ体からなり、この例では透明な合成樹脂板にミラー加工を施したものからなる。メガネ本体４１はサングラスなどの紫外線カットレンズのほか、矯正レンズなど目に対して様々な視覚効果が得られるものが仕様に応じて任意に適用可能である。
【００４９】
係止部４３はメガネ本体４１をブリッジ部３３に対して一体的に固定するための固定手段であり、この例ではネジ止めが用いられている。また、係止部４３はメガネ本体４１を回転可能に保持しており、これにより、メガネ本体４１が回転するようになっている。
【００５０】
これによれば、メガネ部４を使用しない場合にはメガネ部４をヘッドバンド３３側に回転させることによって、メガネ部４を視線から外すことができる。この例において、係止部４はメガネ部４を回転可能に支持しているが、例えば上下にスライド可能にしたり、ワンタッチでメガネ部４を着脱できるようにしてもよい。このような態様も本発明に含まれる。
【００５１】
次に図４および５を参照して、このヘッドホン１の使用手順の一例について説明する。このヘッドホン１を使用するに当たっては、まず、ヘッドバンド３３をヘッドホンユニット２に対して軸線Ｏを中心にほぼ９０°に回転させておく。
【００５２】
この状態において、使用者は両手でヘッドホンユニット２を持ち、ヘッドバンド３を額に沿って当接させながら、各ヘッドホンユニット２を耳に装着していく。これに応じて、ヘッドバンド３内のスライドレバー８１が頭の大きさに応じて引き出され、ヘッドバンド３が使用者の額面に沿って適度な位置で保持される。
【００５３】
併せて、使用者はメガネ部４のパッド部４２を鼻に沿ってちょうど合う位置に合わせることで、図４に示すような額面に沿ってヘッドバンド３が配置された状態となる。このとき、ヘッドバンド３は左右のヘッドホンユニット２とメガネ部４のイヤパッド４２とによって３点支持されるため、下にズレ落ちたりすることなく、安定してホールドすることができる。
【００５４】
メガネ部４を使用しない場合やヘッドホンとして通常使用する場合には、ヘッドホンバンド３を図４に示す状態から手で頭頂部側に持ち上げることにより、図５に示すような通常のヘッドホンの使用形態となる。
【００５５】
また、使用しないときは、図６に示すように回転軸Ｏを中心にヘッドホンユニット２をヘッドバンド３の内側に折り畳むことにより、ヘッドホン１をコンパクトに折り畳むことができ、簡単に持ち運びすることができる。
【００５６】
この例において、ヘッドホンユニット２は耳殻全体を覆い、ハウジングが密閉された、いわゆる密閉型ハウジングが用いられているが、これ以外に、オープンエア型ハウジングであってもよい。さらには、耳かけ型やインナーイヤ型のヘッドホンユニットであってもよく、ヘッドホンバンド３がヘッドホンユニット２に対して頭頂部から額部にかけて往復的に移動可能に設けられていれば任意に選択可能であるよい。
【００５７】
また、メガネ部４はヘッドバンド３に対して別部材として形成されているが、スポーツサングラスのように、テンプル部、ブリッジ部およびメガネ部を全て一体的に構成してもよい。さらには、ＨＵＤ（ヘッド・アップ・ディスプレイ）用のユニットを組み込んで、メガネ部４に映像などの各種視覚情報を投影するようにしてもよい。
【００５８】
以上説明したように、本発明によれば、ヘッドバンド３を頭頂部から額部にかけて往復的に移動可能にし、さらにヘッドバンドに目を覆うメガネ部を設けたことにより、音楽を聞きながら、運動やレジャーなどを楽しむことができる。
【図面の簡単な説明】
【００５９】
【図１】本発明の一実施形態に係るヘッドホンの斜視図。
【図２】上記ヘッドホンの一部を切断した状態を示す部分断面平面図。
【図３】上記切断部分の部分拡大図。
【図４】ヘッドバンドを額面に沿って配置した使用状態を示す斜視図。
【図５】ヘッドホンを通常使用した状態を示す斜視図。
【図６】ヘッドホンを折り畳んだ状態を示す平面図。
【符号の説明】
【００６０】
１  ヘッドホン
２  ヘッドホンユニット
３  ヘッドホンバンド
３２  テンプル部
３３  ブリッジ部
４  メガネ部
５  ヘッドホンハウジング
６  イヤパッド
７  ハンガー
８  伸縮手段
【図１】
2006186756.tif 000003
【図２】
2006186756.tif 000004
【図３】
2006186756.tif 000005
【図４】
2006186756.tif 000006
【図５】
2006186756.tif 000007
【図６】
2006186756.tif 000008
【手続補正書】
【提出日】平成17年1月5日(2005.1.5)
【手続補正１】
【補正対象書類名】明細書
【補正対象項目名】００５７
【補正方法】変更
【補正の内容】
【００５７】
また、メガネ部４はヘッドバンド３に対して別部材として形成されているが、スポーツサングラスのように、テンプル部、ブリッジ部およびメガネ部を全て一体的に構成してもよい。さらには、ＨＭＤ（ヘッド・マウント・ディスプレイ）用またはウェアラブルディスプレー用のユニットを組み込んで、メガネ部４に映像などの各種視覚情報を投影するようにしてもよい。